(57)【要約】【課題】２次転写対向ローラにトナーと同極性のバイアスを印加して２次転写を行う転写装置であって、記録媒体のサイズその他の条件によらず、良好に転写を行う転写装置及びこれを備えた複写機、ファクシミリ、プリンタ等の画像形成装置の提供。【解決手段】２次転写対向ローラ４の抵抗が２次転写ローラ１０の抵抗よりも高く、２次転写対向ローラ４にトナーと同極性のバイアスを印加することで２次転写ローラ１０との間で中間転写体２上の未定着トナー像Ｔを記録媒体３に２次転写する転写装置２０及びこれを備えた画像形成装置１００。【選択図】      図１
2004184875.tif 000002
【特許請求の範囲】
【請求項１】
像担持体から未定着トナー像が１次転写される中間転写体と、この中間転写体から記録媒体へ未定着トナー像を２次転写する２次転写ローラと、上記中間転写体を挟んで上記２次転写ローラに対向する２次転写対向ローラとを有し、この２次転写対向ローラに未定着トナー像を構成するトナーと同極性のバイアスを印加することで上記中間転写体上の未定着トナー像を記録媒体に２次転写する転写装置において、
上記２次転写対向ローラの抵抗が上記２次転写ローラの抵抗よりも高いことを特徴とする転写装置。
【請求項２】
請求項１記載の転写装置において、
上記中間転写体の上記２次転写対向ローラが位置する側の面の表面抵抗率が１０９Ω／□以上であるとともに体積抵抗率が１０１２Ω／ｃｍ以下であり、
上記２次転写対向ローラは、その表面に体積抵抗率が１０１１Ω／ｃｍより大きく１０１５Ω／ｃｍより小さい層を備えており、
上記２次転写ローラは、その表面に体積抵抗率が１０１１Ω／ｃｍ以下の層を備えていることを特徴とする転写装置。
【請求項３】
請求項２記載の転写装置において、上記２次転写対向ローラの表面に備えられた上記層の体積抵抗率が１０１２Ω／ｃｍより大きく１０１４Ω／ｃｍより小さいことを特徴とする転写装置。
【請求項４】
請求項１ないし３の何れか１つに記載の転写装置を有する画像形成装置。
【発明の詳細な説明】
【０００１】
【発明の属する技術分野】
本発明は、複写機、ファクシミリ、プリンタ等のカラー電子写真装置等の画像形成装置に備えられ、中間転写体を介して感光体ドラム等の像担持体上に形成された未定着トナー像を用紙等の記録媒体に２次転写する転写装置及びこれを有するかかる画像形成装置に関する。
【０００２】
【従来の技術】
従来、かかる転写装置として、〔特許文献１〕等に記載のものが知られている。具体的には、感光体ドラム等の像担持体上に形成された未定着トナー像をベルト状の中間転写体に１次転写し、その後、この未定着トナー像を２次転写ローラを用い中間転写体から記録媒体へ２次転写して所望の画像を記録媒体上に形成するように構成されている。特にブラック、イエロー、マゼンタ及びシアンの各色に対応した現像装置を備え、各色の未定着トナー像を重ね合わせてフルカラー画像を形成するカラー画像形成装置にあっては、像担持体の１回転毎に形成した各色の未定着トナー像を中間転写体上で重ね合わせ、この合成像を記録媒体へ一括転写するように構成されている。
【０００３】
従来のカラー画像形成装置では各色の未定着トナー像を記録媒体に対して直接多重転写していたので、記録媒体の厚さや表面特性、潜像担持体に対する記録媒体の搬送特性等の多くの要因によって、記録媒体上に形成したカラー画像の画質が左右されていた。しかし、このように中間転写体を用いたカラー画像形成装置では既に多重転写のなされた合成像を記録媒体に転写しているので、かかる不安定な要因を排除することができ、多重転写時における画像の乱れや色ずれの発生を効果的に防止することができるといった利点を有している。
【０００４】
このような中間転写体を用いた転写装置において、小サイズの記録媒体に転写を行う場合にも良好な転写を行うための技術が〔特許文献１〕によって開示されており、この〔特許文献１〕においては、中間転写体を挟んで２次転写ローラに対向して設けられた２次転写対向ローラに１０７Ω以上の抵抗層を設け、２次転写ローラに、未定着トナー像を構成するトナーと逆極性のバイアスを印加して２次転写を行っている。
【０００５】
また、〔特許文献２〕には、中間転写体が１０６Ω／ｃｍ〜１０１４Ω／ｃｍ、厚さ０．１ｍｍであり、２次転写対向ローラが絶縁層の上に１０７Ω／□〜１０１１Ω／□の表層を持ち、２次転写ローラが１０７Ω／ｃｍ以下の層を備えており、２次転写対向ローラとは別個のバイアス電極部材を有し、このバイアス電極部材から２次転写対向ローラの表層にバイアスを印加して２次転写を行う転写装置が開示されている。
【０００６】
【特許文献１】
特開平６−２８９７３７号公報
【特許文献２】
特開平８−２９２６４４号公報
【０００７】
【発明が解決しようとする課題】
しかし、〔特許文献１〕、〔特許文献２〕には２次転写対向ローラ自身によりバイアスを印加する技術は開示されていない。また、〔特許文献２〕に記載のように、２次転写対向ローラとは別個のバイアス電極部材から２次転写対向ローラの表層にバイアスを印加して２次転写を行う構成では、構造が複雑となる。
【０００８】
そこで、発明者が２次転写対向ローラにトナーと同極性のバイアスを印加して２次転写を行う技術の開発を行ったところ、この技術によれば、中間転写体と記録媒体との間の転写電界の形成に寄与した後に電流が記録媒体を伝って漏れるので、高湿環境下で吸湿して抵抗低下した記録媒体での転写が安定するという利点があるが、中間転写体の特に背面を伝って漏れ、転写電界の形成に寄与しない電流が発生し、転写性能が低下するという問題があることが分かった。また、転写電界の形成に寄与しない電流の発生により転写性能が低下するという問題は、小サイズの記録媒体に転写を行うときによく顕れる。
【０００９】
本発明は、２次転写対向ローラにトナーと同極性のバイアスを印加して２次転写を行う転写装置であって、記録媒体のサイズその他の条件によらず、良好に転写を行う転写装置及びこれを備えた複写機、ファクシミリ、プリンタ等の画像形成装置を提供することを目的とする。
【００１０】
【課題を解決するための手段】
上記目的を達成するため、請求項１記載の発明は、像担持体から未定着トナー像が１次転写される中間転写体と、この中間転写体から記録媒体へ未定着トナー像を２次転写する２次転写ローラと、上記中間転写体を挟んで上記２次転写ローラに対向する２次転写対向ローラとを有し、この２次転写対向ローラに未定着トナー像を構成するトナーと同極性のバイアスを印加することで上記中間転写体上の未定着トナー像を記録媒体に２次転写する転写装置において、上記２次転写対向ローラの抵抗が上記２次転写ローラの抵抗よりも高いことを特徴とする。
【００１１】
請求項２記載の発明は、請求項１記載の転写装置において、上記中間転写体の上記２次転写対向ローラが位置する側の面の表面抵抗率が１０９Ω／□以上であるとともに体積抵抗率が１０１２Ω／ｃｍ以下であり、上記２次転写対向ローラは、その表面に体積抵抗率が１０１１Ω／ｃｍより大きく１０１５Ω／ｃｍより小さい層を備えており、上記２次転写ローラは、その表面に体積抵抗率が１０１１Ω／ｃｍ以下の層を備えていることを特徴とする。
【００１２】
請求項３記載の発明は、請求項２記載の転写装置において、上記２次転写対向ローラの表面に備えられた上記層の体積抵抗率が１０１２Ω／ｃｍより大きく１０１４Ω／ｃｍより小さいことを特徴とする。
【００１３】
請求項４記載の発明は、請求項１ないし３の何れか１つに記載の転写装置を有する画像形成装置にある。
【００１４】
【実施例】
図１に本発明を適用したカラー電子写真複写機であるカラー画像形成装置の概略を示す。画像形成装置１００は、一般にコピー等に用いられる普通紙と、ＯＨＰシートや、カード、ハガキといった９０Ｋ紙、坪量約１００ｇ／ｍ２相当以上の厚紙や、封筒等の、普通紙よりも熱容量が大きないわゆる特殊シート、小サイズのシートの何れをもシート状の記録媒体として画像形成するものとして用いることが可能である。記録媒体の大きさは、Ａ４サイズやＡ３サイズ等の一般的な規格をなす大きさが一般的であるが、規格外の大きさであっても良い。
【００１５】
図１において、符号１は像担持体としての感光体ドラムを示している。感光体ドラム１は、矢線Ａ方向への回転に伴いその表面には周知の電子写真プロセス（図示せず）によって画情報に応じた静電潜像が形成される。また、この感光体ドラム１の周囲にはブラック（Ｂｋ）、イエロー（Ｙ）、マゼンタ（Ｍ）及びシアン（Ｃ）の各色に対応した現像手段としての現像装置である現像器５〜８が配設されており、感光体ドラム１に形成された静電潜像をいずれか一の現像器で現像してトナー像Ｔを形成するようになっている。従って、感光体ドラム１に書き込まれた静電潜像がイエローの画情報に対応したものであれば、この静電潜像はイエロー（Ｙ）のトナーを内包する現像器６で現像され、感光体ドラム１上にはイエローのトナー像Ｔが形成される。
【００１６】
符号２は感光体ドラム１の表面に当接されるように配置された中間転写ベルトであるベルト状の中間転写体を示している。中間転写体２は、複数のロールに張架されて矢線Ｂ方向へ回動する。感光体ドラム１に形成された未定着トナー像Ｔは、感光体ドラム１と中間転写体２とが接する１次転写位置で感光体ドラム１から中間転写体２の表面に転写される。この１次転写位置において、中間転写体２の裏面側にはコロナ放電器９が配設されており、このコロナ放電器９にトナーの帯電極性と逆極性の電圧を印加することで、感光体ドラム１上の未定着トナー像Ｔは中間転写体２に静電吸引され１次転写が行なわれる。
【００１７】
単色画像を形成する場合は中間転写体２に１次転写された未定着トナー像Ｔを直ちに記録媒体３に２次転写するのであるが、複数色のトナー像を重ね合わせたカラー画像を形成する場合には、感光体ドラム１上でのトナー像Ｔの形成並びにこのトナー像Ｔの１次転写の工程が色数分だけ繰り返される。例えば４色のトナー像を重ね合わせたフルカラー画像を形成する場合、感光体ドラム１上にはその１回転毎にブラック、イエロー、マゼンタ及びシアンの未定着トナー像Ｔが形成され、これら未定着トナー像Ｔは順次中間転写体２に１次転写される。一方、中間転写体２は最初に１次転写されたブラックの未定着トナー像Ｔを保持したまま感光体ドラム１と同一周期で回動し、中間転写体２上にはその１回転毎にイエロー、マゼンタ及びシアンの未定着トナー像Ｔがブラックの未定着トナー像Ｔに重ねて転写される。
【００１８】
一方、中間転写体２は最初に１次転写されたブラックの未定着トナー像Ｔを保持したまま感光体ドラム１と同一周期で回動し、中間転写体２上にはその１回転毎にイエロー、マゼンタ及びシアンの未定着トナー像Ｔがブラックの未定着トナー像Ｔに重ねて転写される。このようにして中間転写体２に１次転写された未定着トナー像Ｔは、中間転写体２の回動に伴って記録媒体３の搬送経路に面した２次転写位置へと搬送される。
【００１９】
２次転写位置では２次転写ローラ１０が中間転写体２に接しており、フィードローラ１１によって所定のタイミングでトレイ１２から搬出された記録媒体３は、図２に示すように、２次転写ローラ１０と中間転写体２との間に挟み込まれる。また、２次転写位置における中間転写体２の裏面側には中間転写体２を挟んで２次転写ローラ１０に対向する２次転写対向ローラとしてのバックアップロール４が配設されており、バックアップロール４に接続された電圧印加手段１６によってバックアップロール４によりトナー像Ｔを構成するトナーの帯電極性と逆極性のバイアスを印加すると、接地された２次転写ローラ１０との間で、中間転写体２に担持された未定着トナー像Ｔは２次転写位置において記録媒体３に静電転写され、２次転写が行なわれる。
【００２０】
未定着トナー像が転写された記録媒体３は分離除電装置１３によるバイアスの印加及びバックアップロール４に巻き掛けられた中間転写体２の曲率によって中間転写体２から剥がされ、搬送ベルト１４によって図示しない定着手段である定着装置たる定着器に送り込まれて未定着トナー像の定着処理がなされ、画像形成装置１００本体外に排出され、図示しない排紙トレイ上に積載される。
【００２１】
一方、未定着トナー像の２次転写が終了した中間転写体２はクリーナ１５によって残留トナーが除去される。なお、２次転写ローラ１０及びクリーナ１５は中間転写体２に対して接離自在に配設されており、カラー画像が形成される場合には最終色の未定着トナー像が中間転写体２に１次転写されるまで、これらの部材は中間転写体２から離間している。本発明を適用した転写装置２０は上述した画像形成装置１００に備えられた構成のうち、少なくとも中間転写体２と、２次転写ローラ１０と、バックアップロール４と、電圧印加手段１６とを有している。
【００２２】
本実施例のように、中間転写体２の背面すなわちバックアップロール４が位置する側からトナーと同極性のバイアスを印加すると、中間転写体２と記録媒体３との間の転写電界を形成に寄与した後に電流が記録媒体３を伝って漏れるので、高湿環境下で吸湿して抵抗低下した記録媒体３での転写安定性を得られる。しかし、中間転写体２の特に背面をを伝って漏れて転写電界の形成に寄与しない電流が発生するので、本発明者の実験により、これを防止するためには、中間転写体２の背面の表面抵抗率は１０９Ω／□以上であることが必要なことが分かった。
【００２３】
一方、中間転写体２の背面の表面抵抗率が１０９Ω／□以上である場合に体積抵抗率が１０１２Ω／ｃｍ以上であると、すなわち表面抵抗率と体積抵抗率とが共に高いと、中間転写体２内での電荷の移動が遅くなり、電荷が２次転写領域に上手く運ばれないで、２次転写領域の外で中間転写体２と記録媒体３もしくは記録媒体３と２次転写ローラ１０の間で異常放電が生じていると思われる、トナー像が放射状もしくは水玉状に乱れた画像が発生するため、中間転写体２の背面の表面抵抗率が１０９Ω／□以上であるとともに体積抵抗率が１０１２Ω／ｃｍ以下の条件が２次転写に適していることが分かった。
【００２４】
また、中間転写体２の体積抵抗率が１０１１Ω／ｃｍ以下では、記録媒体３より抵抗が低いために、小サイズ紙を２次転写するときに、記録媒体３がある部分である紙域内と記録媒体３紙がない部分である紙域外の抵抗差が大きくなり、紙域外へ電流が流れ易く紙域内への電流が流れにくくなり、小サイズ紙の転写性が安定しない。
【００２５】
この場合に小サイズ紙の転写性を安定させるには、２次転写ローラ１０またはバックアップロール４のいずれかに記録媒体３と同等以上の抵抗を持つ層を設け、記録媒体３の有無による抵抗差を少なくすることが有効であるが、２次転写ローラ１０が高抵抗層を持つと、２次転写対向ローラ１０表面から中間転写体２の体積方向すなわち２次転写ローラ１０芯金における抵抗が上がり、中間転写体２を伝って流れる電流が増えるので、バックアップローラ４に高抵抗層を設けるのが良い。
【００２６】
しかし、バックアップロール４の高抵抗層が１０１４Ω／ｃｍないし１０１５Ω／ｃｍ以上となると、電流を流すための印加バイアスが高くなり、内部での電荷移動速度が遅くなるためなのか印加バイアスが高くなり過ぎることによるのか、周囲の部材へ異常放電し易くなることが分かった。よってバックアップロール４には、その表面に体積抵抗率が１０１５Ω／ｃｍ以下、好ましくは１０１４Ω／ｃｍ以下であって、記録媒体３と同等以上の抵抗を持つ層を設けることが適していることが分かった。
【００２７】
ところで、記録媒体３の抵抗は紙質により異なり概ね１０１１Ω／ｃｍ〜１０１２Ω／ｃｍであるが、置かれた温湿度および調湿時間により含水分量が異なるために更に１桁変ることを考慮すると、１０９Ω／ｃｍ〜１０１３Ω／ｃｍである。よって、記録媒体３と同等以上の抵抗であるには、１０１１Ω／ｃｍ以上であることが必要であることとなる。
【００２８】
ここで、画像形成装置１００を用いて、次の２つの実施例と２つの比較例にて、秤量、サイズ、画像形成の片面／両面の条件の異なる記録媒体３を用いて転写性を比較する実験を行った。また、この実験の結果を図３に示す。
【００２９】
・実施例１
中間転写体２は、体積抵抗率１０１０Ω／ｃｍであるとともに、背面、表面とも表面抵抗率１０１１Ω／□、厚さ０．１５ｍｍの樹脂よりなる。
バックアップロール４は、芯金の周りに体積抵抗率１０７Ω／ｃｍ、厚さ４ｍｍ、ゴム硬度４０度の弾性層と、体積抵抗率１０１３Ω／ｃｍ、厚さ０．１ｍｍの樹脂よりなる表層とを備えている。
２次転写ローラ１０は、芯金の周りに体積抵抗率１０７Ω／ｃｍ、厚さ４ｍｍ、ゴム硬度４０度の弾性層と、体積抵抗率１０１１Ω／ｃｍ、厚さ０．０２ｍｍの離型性のある樹脂よりなる表層とを備えている。
【００３０】
・実施例２（実施例１と２次転写対向ローラ１０の抵抗のみ異なる）
中間転写体２は、体積抵抗率１０１０Ω／ｃｍであるとともに、背面、表面とも表面抵抗率１０１１Ω／□、厚さ０．１５ｍｍの樹脂よりなる。
バックアップロール４は、芯金の周りに体積抵抗率１０７Ω／ｃｍ、厚さ４ｍｍ、ゴム硬度４０度の弾性層と、体積抵抗率１０１２Ω／ｃｍ、厚さ０．１ｍｍの樹脂よりなる表層とを備えている。
２次転写ローラ１０は、芯金の周りに体積抵抗率１０７Ω／ｃｍ、厚さ４ｍｍ、ゴム硬度４０度の弾性層と、体積抵抗率１０１１Ω／ｃｍ、厚さ０．０２ｍｍの離型性のある樹脂よりなる表層とを備えている。
【００３１】
・比較例１（実施例１の２次転写ローラ１０とバックアップロール４とを入れ替え、２次転写ローラ１０の方が抵抗が高くなるようにしたもの）
中間転写体２は、体積抵抗率１０１０Ω／ｃｍであるとともに、背面、表面とも表面抵抗率１０１１Ω／□、厚さ０．１５ｍｍの樹脂よりなる。
バックアップロール４は、芯金の周りに体積抵抗率１０７Ω／ｃｍ、厚さ４ｍｍ、ゴム硬度４０度の弾性層と、体積抵抗率１０１１Ω／ｃｍ、厚さ０．０２ｍｍの離型性のある樹脂よりなる表層とを備えている。
２次転写ローラ１０は、芯金の周りに体積抵抗率１０７Ω／ｃｍ、厚さ４ｍｍ、ゴム硬度４０度の弾性層と、体積抵抗率１０１３Ω／ｃｍ、厚さ０．１ｍｍの樹脂よりなる表層とを備えている。
【００３２】
・比較例２（比較例１と２次転写ローラ１０の表層の体積抵抗率、厚さが異なっており、２次転写ローラ１０もバックアップロール４も同じ構成であって、且つ抵抗が低い。）
中間転写体２は、体積抵抗率１０１０Ω／ｃｍであるとともに、背面、表面とも表面抵抗率１０１１Ω／□、厚さ０．１５ｍｍの樹脂よりなる。
バックアップロール４は、芯金の周りに体積抵抗率１０７Ω／ｃｍ、厚さ４ｍｍ、ゴム硬度４０度の弾性層と、体積抵抗率１０１１Ω／ｃｍ、厚さ０．０２ｍｍの離型性のある樹脂よりなる表層とを備えている。
２次転写ローラ１０は、芯金の周りに体積抵抗率１０７Ω／ｃｍ、厚さ４ｍｍ、ゴム硬度４０度の弾性層と、体積抵抗率１０１１Ω／ｃｍ、厚さ０．２ｍｍの樹脂よりなる表層とを備えている。
【００３３】
実験の結果、全巾、普通紙、表面印刷では実施例、比較例すべて転写性は良好であるが、比較例１について検討すると、バックアップロール４の抵抗が低く２次転写ローラ１０の抵抗が高く、バックアップロール４と中間転写体２との接点から記録媒体３側へは２次転写ローラ１０の抵抗が高くなっているとともに、定着工程を一度施されて含水分量が少なくなった紙厚の厚い厚紙の両面に転写を行う場合においては記録媒体３の抵抗が高くなっている。
【００３４】
よって、比較例１においては、記録媒体３に向かう抵抗が高くなっているにもかかわらず、中間転写体２背面を伝う場合の抵抗は変らないので、２次転写に寄与しないで漏れ去る電流が増え、このために、２次転写領域での電流が低下することで２次転写電界が低下して、厚紙裏面の転写性が低下している。また、比較例２では、バックアップロール４の抵抗も２次転写ローラ１０の抵抗も低いので、小サイズ紙の場合に記録媒体３があるところとないところとでの抵抗差が大きくなり、記録媒体３があるところを避けて電流が流れて、小サイズ紙の転写性が低下している。
【００３５】
一方、実施例１と実施例２とではバックアップロール４表層の体積抵抗率のみ異なり、実施例１の１０１３Ω／ｃｍでは小サイズ紙に対して全く良好であるが、実施例２の１０１２Ω／ｃｍでは僅かに低下が認められる。なお、中間転写体２の記録媒体３に向かう抵抗すなわち体積抵抗率が十分高いときは、電流的には実施例と同様の転写性が得られると考察するが、別個の原因である放電発生により、乱された画像しか得られないことが実験により確認された。
【００３６】
以上、実験により、良好な転写を行う条件が、バックアップロール４の抵抗が２次転写ローラ１０の抵抗よりも高く、そして、中間転写体２背面の表面抵抗率が１０９Ω／□以上であるとともに体積抵抗率が１０１２Ω／ｃｍ以下であり、バックアップロール４は、その表面に体積抵抗率が１０１１Ω／ｃｍより大きく１０１５Ω／ｃｍより小さい層を備え、２次転写ローラ１０は、その表面に体積抵抗率が１０１１Ω／ｃｍ以下の層を備えていることであることが分かった。また、特に、実施例１と実施例２との比較等から、バックアップロール４の表面に備えられた層の体積抵抗率は１０１２Ω／ｃｍより大きく１０１４Ω／ｃｍより小さいことが望ましいことが分かった。
【００３７】
以上、本発明を適用したカラー画像形成装置を説明したが、本発明にかかる転写装置は、中間転写体を用いるものであれば、単色画像のみを形成する画像形成装置に適用することもできるし、カラー画像形成装置であっても、中間転写体の１回転ですべての色のトナー像を中間転写体１上に１次転写する転写装置に適用することもできる。
【００３８】
【発明の効果】
本発明は、像担持体から未定着トナー像が１次転写される中間転写体と、この中間転写体から記録媒体へ未定着トナー像を２次転写する２次転写ローラと、上記中間転写体を挟んで上記２次転写ローラに対向する２次転写対向ローラとを有し、この２次転写対向ローラに未定着トナー像を構成するトナーと同極性のバイアスを印加することで上記中間転写体上の未定着トナー像を記録媒体に２次転写する転写装置において、上記２次転写対向ローラの抵抗が上記２次転写ローラの抵抗よりも高いので、２次転写対向ローラにトナーと同極性のバイアスを印加して２次転写を行うことで高湿環境下で吸湿して抵抗低下した記録媒体に対する転写が安定するとともに、中間転写体を伝って流れる電流の増加を防止して、良好に転写を行うことができる転写装置を提供することができる。
【００３９】
中間転写体の２次転写対向ローラが位置する側の面の表面抵抗率が１０９Ω／□以上であるとともに体積抵抗率が１０１２Ω／ｃｍ以下であり、２次転写対向ローラが、その表面に体積抵抗率が１０１１Ω／ｃｍより大きく１０１５Ω／ｃｍより小さい層を備えており、２次転写ローラが、その表面に体積抵抗率が１０１１Ω／ｃｍ以下の層を備えていることとすれば、高湿環境下での良好な転写性能に加え、記録媒体のサイズその他秤量、片面・両面の何れの画像形成であるか等の条件によらず良好に転写を行うことができる転写装置を提供することができる。
【００４０】
２次転写対向ローラの表面に備えられた層の体積抵抗率が１０１２Ω／ｃｍより大きく１０１４Ω／ｃｍより小さいこととすれば、特に小サイズの記録媒体に対する転写の際においても良好な転写を行うことができる転写装置を提供することができる。
【００４１】
本発明は、請求項１ないし３の何れか１つに記載の転写装置を有する画像形成装置にあるので、上述の各効果を奏することができ、様々な記録媒体、画像形成条件において良好な転写を行うことで良好な画像形成を行うことができる画像形成装置を提供することができる。
【図面の簡単な説明】
【図１】本発明を適用した転写装置及び画像形成装置の概略を示す側面図である。
【図２】図１に示した転写装置の要部示す側面図である。
【図３】用紙の種類、大きさ、画像形成面と、転写装置の構成とを変えて実験を行ったときの転写性の相関を示す相関図である。
【符号の説明】
１    像担持体
２    中間転写体
３    記録媒体
４    ２次転写対向ローラ
１０    ２次転写ローラ
２０    転写装置
１００    画像形成装置
Ｔ    未定着トナー像
【図１】
2004184875.tif 000003
【図２】
2004184875.tif 000004
【図３】
2004184875.tif 000005